(57)【要約】【課題】通信端末装置の姿勢を適切に制御できるようにする。【解決手段】携帯電話機１が外部装置（充電ケーブル８、充電台９）に接続されている場合に、携帯電話機１の通信状況（無線通信の通信状況、放送受信の通信状況）に基づいて携帯電話機１の姿勢を制御する。この場合、充電台９と携帯電話機１とは、それらの姿勢が連動して変わるような接続構造で接続されており、携帯電話機１の通信状況に基づいて、充電台９の姿勢を制御するための制御信号を充電台９に対して出力することによって携帯電話機１の姿勢を制御する。【選択図】  図１
2010258560.tif 000002
【特許請求の範囲】
【請求項１】
通信手段を備える通信端末装置であって、
当該通信端末装置と外部装置との接続を検出する接続検出手段と、
前記通信手段の通信状況を検出する通信検出手段と、
前記接続検出手段によって前記外部装置と接続されていることが検出された場合に、前記通信検出手段によって検出された通信状況に基づいて当該通信端末装置の姿勢を制御する姿勢制御手段と、
を具備したことを特徴とする通信端末装置。
【請求項２】
前記外部装置と当該通信端末装置とは、それらの姿勢が連動して変わるような接続構造で接続されており、
前記姿勢制御手段は、前記通信検出手段によって検出された通信状況に基づいて、前記外部装置の姿勢を制御するための制御信号を当該外部装置に対して出力することによって通信端末装置の姿勢を制御する、
ようにしたことを特徴とする請求項１記載の通信端末装置。
【請求項３】
通信に関連する履歴情報及び通信に関連する予約情報の少なくともいずれか一方が記憶手段に記憶されているか否かを判別する判別手段を更に備え、
前記姿勢制御手段は、前記判別手段によって履歴情報及び予約情報の少なくともいずれか一方が記憶されていると判別された場合に、前記通信検出手段によって検出された通信状況に基づいて当該通信端末装置の姿勢を制御する、
ようにしたことを特徴とする請求項１記載の通信端末装置。
【請求項４】
前記姿勢制御手段は、前記履歴情報及び予約情報の少なくともいずれか一方が有する時刻情報に基づいて当該通信端末装置の姿勢を制御するタイミングを決定してその制御を行う、
ようにしたことを特徴とする請求項３記載の通信端末装置。
【請求項５】
前記姿勢制御手段は、前記履歴情報及び予約情報の少なくともいずれか一方が有する時刻情報が現在時刻から所定時間以内の場合に、当該通信端末装置の姿勢を制御する、
ようにしたことを特徴とする請求項４記載の通信端末装置。
【請求項６】
前記姿勢制御手段は、前記履歴情報及び予約情報の少なくともいずれか一方が有する時刻情報が現在時刻から所定時間以内でない場合に、当該通信端末装置の姿勢を制御する、
ようにしたことを特徴とする請求項４記載の通信端末装置。
【請求項７】
当該通信端末装置の姿勢を制御する時刻を指定する時刻情報を記憶手段に記憶させる記憶制御を更に備え、
前記姿勢制御手段は、前記記憶手段に記憶されている時刻情報に基づいて当該通信端末装置の姿勢を制御するタイミングを決定してその制御を行う、
ようにしたことを特徴とする請求項１記載の通信端末装置。
【請求項８】
前記姿勢制御手段によって当該通信端末装置の姿勢が制御される前の姿勢を元の姿勢として記憶する記憶制御手段を更に備え、
前記姿勢制御手段は、当該通信端末装置の姿勢を制御したのち、前記通信手段による通信が終了する場合に、前記記憶制御手段によって記憶された元の姿勢になるように当該通信端末装置の姿勢を戻す、
ようにしたことを特徴とする請求項１記載の通信端末装置。
【請求項９】
前記通信手段は、通話手段、メール通信手段、新着情報受信手段、データ通信手段、放送受信手段のうちの少なくともいずれか１つである、
ことを特徴とする請求項１記載の通信端末装置。
【請求項１０】
通信手段を備える通信端末装置と接続される通信端末接続装置であって、
当該通信端末接続装置と前記通信端末装置との接続を検出する接続検出手段と、
前記通信端末装置が有する通信手段の通信状況を検出する通信検出手段と、
前記通信端末装置と接続されている場合に、前記通信検出手段によって検出された通信状況に基づいて当該通信端末装置の姿勢を制御する姿勢制御手段と、
を具備したことを特徴とする通信端末接続装置。
【請求項１１】
当該通信端末接続装置と前記通信端末装置とは、それらの姿勢が連動して変わるような接続構造で接続されており、
前記姿勢制御手段は、前記通信検出手段によって検出された通信状況に基づいて当該通信端末接続装置の姿勢を制御することによって前記通信端末装置の姿勢を制御する、
ようにしたことを特徴とする請求項１０記載の通信端末接続装置。
【請求項１２】
前記通信端末装置の姿勢を制御する時刻を指定する時刻情報を記憶手段に記憶する記憶制御を更に備え、
前記姿勢制御手段は、前記記憶手段に記憶されている時刻情報に基づいて前記通信端末装置の姿勢を制御するタイミングを決定してその制御を行う、
ようにしたことを特徴とする請求項１０記載の通信端末接続装置。
【請求項１３】
前記姿勢制御手段によって前記通信端末装置の姿勢が制御される前の姿勢を元の姿勢として記憶する記憶制御手段を更に備え、
前記姿勢制御手段は、前記通信端末装置の姿勢を制御したのち、前記通信手段による通信が終了した場合に、前記記憶制御手段によって記憶された元の姿勢になるように前記通信端末装置の姿勢を戻す、
ようにしたことを特徴とする請求項１０記載の通信端末接続装置。
【請求項１４】
通信手段を備える通信端末装置であって、
当該通信端末装置と外部装置との接続を検出する接続検出手段と、
この接続検出手段によって接続が検出された外部装置の識別情報を取得する取得手段と、
前記接続検出手段によって前記外部装置と接続されていることが検出された場合に、前記取得手段によって取得された外部装置の識別情報に基づいて当該通信端末装置の姿勢を制御する姿勢制御手段と、
を具備したことを特徴とする通信端末装置。
【請求項１５】
当該通信端末接続装置と前記外部装置とは、それらの姿勢が連動して変わるような接続構造で接続されており、
前記姿勢制御手段は、前記取得手段によって取得された外部装置の識別情報に基づいて前記外部装置の姿勢を制御するための制御信号を前記外部装置に対して出力することによって当該通信端末装置の姿勢を制御する、
ようにしたことを特徴とする請求項１４記載の通信端末装置。
【請求項１６】
コンピュータに対して、
通信手段を備える当該通信端末装置と外部装置との接続を検出する機能と、
前記通信手段の通信状況を検出する機能と、
前記外部装置と接続されていることが検出された場合に、前記検出された通信状況に基づいて当該通信端末装置の姿勢を制御する機能と、
を実現させるためのプログラム。
【請求項１７】
コンピュータに対して、
通信手段を備える通信端末装置と当該通信端末接続装置との接続を検出する機能と、
前記通信端末装置が有する通信手段の通信状況を検出する機能と、
前記通信端末装置と接続されている場合に、前記検出された通信状況に基づいて前記通信端末装置の姿勢を制御する機能と、
を実現させるためのプログラム。
【請求項１８】
コンピュータに対して、
通信手段を備える当該通信端末装置と外部装置との接続を検出する機能と、
前記接続が検出された外部装置の識別情報を取得する機能と、
前記外部装置と接続されていることが検出された場合に、前記取得された外部装置の識別情報に基づいて当該通信端末装置の姿勢を制御する機能と、
を実現させるためのプログラム。
【発明の詳細な説明】
【技術分野】
【０００１】
本発明は、通信手段を備える通信端末装置、この通信端末装置を接続する通信端末接続装置及びプログラムに関する。
【背景技術】
【０００２】
一般に、携帯電話機などのように通信手段を備える通信端末装置を充電台（例えば、充電機能付きクレードル）に設置したり、通信端末装置に充電ケーブルを接続したりするなど、通信端末装置を充電台又は充電ケーブルなどに接続する場合がある。このような状態において、通信端末装置の姿勢をユーザが所望する姿勢となるように適宜変更してその端末画面に現在時刻を表示させることによって、通信端末装置を“時計”として利用したり、その端末画面に画像を表示させることによって通信端末装置を“電子写真立て”として利用したりすることがある。例えば、従来においては、充電器にセットされると画像を順次表示したり、時刻を表示したりする情報再生装置が知られている（特許文献１参照）。
【先行技術文献】
【特許文献】
【０００３】
【特許文献１】特開２０００−３３３０４６号公報
【発明の概要】
【発明が解決しようとする課題】
【０００４】
しかしながら、上述した先行技術にあっては、ユーザが所望する姿勢が必ずしも通信状況が良好な姿勢だとは限らない。例えば、通信端末装置を充電台に設置してその端末画面に時刻を表示させて時計として利用している場合に、その端末画面が見易いように通信端末装置の姿勢（見易い向き、角度など）を調整するようにしているが、このように調整した姿勢は、必ずしも通信状況が良好な姿勢（例えば、電子メールを確実に受信可能とするために、メール受信に関する通信状況が良好となる姿勢）であるとは限らない。また、別の例では、テレビ放送受信・録画（記録）機能を備えた通信端末装置において、この通信端末装置を充電台に設置してその端末画面に画像を表示させて写真立てとして利用している場合、その端末画面を見易いように通信端末装置の姿勢を調整するようにしているが、このように調整した姿勢が必ずしも通信状況が良好な姿勢（例えば、録画予約のテレビ放送を確実に受信して記録可能とするために、テレビ放送受信に関する通信状況が良好となる姿勢）であるとは限らない。
【０００５】
このような場合、例えば、ユーザの就寝時に、メール受信に関する通信状況が良好になるような姿勢に調整したり、テレビ放送受信に関する通信状況が良好になるような姿勢に調整したりする必要があるが、その都度、このような調整をユーザ自身が行うことは面倒であり、ユーザに負担をかけるほか、ユーザにあっては録画予約の有無を確認しながら通信端末装置の姿勢を調整しなければならず、更にユーザに負担をかけるという問題が起きる。
【０００６】
本発明の課題は、通信端末装置の姿勢を適切に制御できるようにすることである。
【課題を解決するための手段】
【０００７】
上述した課題を解決するために請求項１記載の発明は、通信手段を備える通信端末装置であって、当該通信端末装置と外部装置との接続を検出する接続検出手段と、前記通信手段の通信状況を検出する通信検出手段と、前記接続検出手段によって前記外部装置と接続されていることが検出された場合に、前記通信検出手段によって検出された通信状況に基づいて当該通信端末装置の姿勢を制御する姿勢制御手段と、を具備したことを特徴とする。
【０００８】
請求項１に従属する発明として、前記外部装置と当該通信端末装置とは、それらの姿勢が連動して変わるような接続構造で接続されており、前記姿勢制御手段は、前記通信検出手段によって検出された通信状況に基づいて、前記外部装置の姿勢を制御するための制御信号を当該外部装置に対して出力することによって通信端末装置の姿勢を制御する、ようにしたことを特徴とする請求項２記載の発明であってもよい。
【０００９】
請求項１に従属する発明として、通信に関連する履歴情報及び通信に関連する予約情報の少なくともいずれか一方が記憶手段に記憶されているか否かを判別する判別手段を更に備え、前記姿勢制御手段は、前記判別手段によって履歴情報及び予約情報の少なくともいずれか一方が記憶されていると判別された場合に、前記通信検出手段によって検出された通信状況に基づいて当該通信端末装置の姿勢を制御する、ようにしたことを特徴とする請求項３記載の発明であってもよい。
【００１０】
請求項３に従属する発明として、前記姿勢制御手段は、前記履歴情報及び予約情報の少なくともいずれか一方が有する時刻情報に基づいて当該通信端末装置の姿勢を制御するタイミングを決定してその制御を行う、ようにしたことを特徴とする請求項４記載の発明であってもよい。
【００１１】
請求項４に従属する発明として、前記姿勢制御手段は、前記履歴情報及び予約情報の少なくともいずれか一方が有する時刻情報が現在時刻から所定時間以内の場合に、この所定時間以内を前記制御タイミングとして決定して当該通信端末装置の姿勢を制御する、ようにしたことを特徴とする請求項５記載の発明であってもよい。
【００１２】
請求項４に従属する発明として、前記姿勢制御手段は、前記履歴情報及び予約情報の少なくともいずれか一方が有する時刻情報が現在時刻から所定時間以内でない場合に、この所定時間以内でない時間帯を前記制御タイミングとして決定して当該通信端末装置の姿勢を制御する、ようにしたことを特徴とする請求項６記載の発明であってもよい。
【００１３】
請求項１に従属する発明として、当該通信端末装置の姿勢を制御する時刻を指定する時刻情報を記憶手段に記憶させる記憶制御を更に備え、前記姿勢制御手段は、前記記憶手段に記憶されている時刻情報に基づいて当該通信端末装置の姿勢を制御するタイミングを決定してその制御を行う、ようにしたことを特徴とする請求項７記載の発明であってもよい。
【００１４】
請求項１に従属する発明として、前記姿勢制御手段によって当該通信端末装置の姿勢が制御される前の姿勢を元の姿勢として記憶する記憶制御手段を更に備え、前記姿勢制御手段は、当該通信端末装置の姿勢を制御したのち、前記通信手段による通信が終了する場合に、前記記憶制御手段によって記憶された元の姿勢になるように当該通信端末装置の姿勢を戻す、ようにしたことを特徴とする請求項８記載の発明であってもよい。
【００１５】
請求項１に従属する発明として、前記通信手段は、通話手段、メール通信手段、新着情報受信手段、データ通信手段、放送受信手段のうちの少なくともいずれか１つである、ことを特徴とする請求項９記載の発明であってもよい。
【００１６】
また、上述した課題を解決するために請求項記載１０の発明は、通信手段を有する通信端末装置と接続される通信端末接続装置であって、当該通信端末接続装置と前記通信端末装置との接続を検出する接続検出手段と、前記通信端末装置が有する通信手段の通信状況を検出する通信検出手段と、前記通信端末装置と接続されている場合に、前記通信検出手段によって検出された通信状況に基づいて当該通信端末装置の姿勢を制御する姿勢制御手段と、を具備したことを特徴とする。
【００１７】
請求項１０に従属する発明として、当該通信端末接続装置と前記通信端末装置とは、それらの姿勢が連動して変わるような接続構造で接続されており、前記姿勢制御手段は、前記通信検出手段によって検出された通信状況に基づいて当該通信端末接続装置の姿勢を制御することによって前記通信端末装置の姿勢を制御する、ようにしたことを特徴とする請求項１１記載の発明であってもよい。
【００１８】
請求項１０に従属する発明として、前記通信端末装置の姿勢を制御する時刻を指定する時刻情報を記憶手段に記憶する記憶制御を更に備え、前記姿勢制御手段は、前記記憶手段に記憶されている時刻情報に基づいて前記通信端末装置の姿勢を制御するタイミングを決定してその制御を行う、ようにしたことを特徴とする請求項１２記載の発明であってもよい。
【００１９】
請求項１０に従属する発明として、前記姿勢制御手段によって前記通信端末装置の姿勢が制御される前の姿勢を元の姿勢として記憶する記憶制御手段を更に備え、前記姿勢制御手段は、前記通信端末装置の姿勢を制御したのち、前記通信手段による通信が終了した場合に、前記記憶制御手段によって記憶された元の姿勢になるように前記通信端末装置の姿勢を戻す、ようにしたことを特徴とする請求項１３記載の発明であってもよい。
【００２０】
また、上述した課題を解決するために請求項１４記載の発明は、通信手段を備える通信端末装置であって、当該通信端末装置と外部装置との接続を検出する接続検出手段と、この接続検出手段によって接続が検出された外部装置の識別情報を取得する取得手段と、前記接続検出手段によって前記外部装置と接続されていることが検出された場合に、前記取得手段によって取得された外部装置の識別情報に基づいて当該通信端末装置の姿勢を制御する姿勢制御手段と、を具備したことを特徴とする。
【００２１】
請求項１４に従属する発明として、当該通信端末接続装置と前記外部装置とは、それらの姿勢が連動して変わるような接続構造で接続されており、前記姿勢制御手段は、前記取得手段によって取得された外部装置の識別情報に基づいて前記外部装置の姿勢を制御するための制御信号を前記外部装置に対して出力することによって当該通信端末装置の姿勢を制御する、ようにしたことを特徴とする請求項１５記載の発明であってもよい。
【００２２】
また、上述した課題を解決するために請求項１６記載の発明は、コンピュータに対して、通信手段を備える当該通信端末装置と外部装置との接続を検出する機能と、前記通信手段の通信状況を検出する機能と、前記外部装置と接続されていることが検出された場合に、前記検出された通信状況に基づいて当該通信端末装置の姿勢を制御する機能と、を実現させるためのプログラムを特徴とする。
【００２３】
また、上述した課題を解決するために請求項１７記載の発明は、コンピュータに対して、通信手段を備える通信端末装置と当該通信端末接続装置との接続を検出する機能と、前記通信端末装置が有する通信手段の通信状況を検出する機能と、前記通信端末装置と接続されている場合に、前記検出された通信状況に基づいて前記通信端末装置の姿勢を制御する機能と、を実現させるためのプログラムを特徴とする。
【００２４】
また、上述した課題を解決するために請求項１８記載の発明は、コンピュータに対して、通信手段を備える当該通信端末装置と外部装置との接続を検出する機能と、前記接続が検出された外部装置の識別情報を取得する機能と、前記外部装置と接続されていることが検出された場合に、前記取得された外部装置の識別情報に基づいて当該通信端末装置の姿勢を制御する機能と、を実現させるためのプログラムを特徴とする。
【発明の効果】
【００２５】
本発明によれば、通信端末装置の姿勢を適切に制御することができる。
【図面の簡単な説明】
【００２６】
【図１】通信端末装置として適用した携帯電話機が利用可能な通信ネットワークシステムを示したブロック図。
【図２】携帯電話機１の基本的な構成要素を示したブロック図。
【図３】携帯電話機１の外観図示し、（１）は、操作部筐体１Ａと表示部筐体１Ｂとの折り畳みを開いた状態のオープンスタイルを示した図、（２）は、オープンスタイルにおいて表示部筐体１Ｂを上述の回動用ヒンジ軸を中心に１８０度回転させたのち、表示部１７が外側に向くように折り畳んだ状態のビュースタイルを示した図。
【図４】充電台９の基本的な構成要素を示したブロック図。
【図５】充電台９の外観図。
【図６】制御条件記憶部Ｍ３を説明するための図。
【図７】姿勢決定方法記憶部Ｍ４を説明するための図。
【図８】姿勢情報記憶部Ｍ５を説明するための図。
【図９】通話履歴記憶部Ｍ６を説明するための図。
【図１０】メール記憶部Ｍ７を説明するための図。
【図１１】予約情報記憶部Ｍ８を説明するための図。
【図１２】携帯電話機１の全体動作の概要を示したフローチャート。
【図１３】制御処理（図１２のステップＡ８）を詳述するためのフローチャート。
【図１４】判別処理（図１２のステップＢ１）を詳述するためのフローチャート。
【図１５】制御開始処理（図１３のステップＢ４）を詳述するためのフローチャート。
【図１６】制御終了処理（図１３のステップＢ７）を詳述するためのフローチャート。
【図１７】時刻更新に応じた処理（図１２のステップＡ１０）を詳述するためのフローチャート。
【図１８】充電台９又は充電ケーブル８との接続が解除された際に実行される外れ処理（図１２のステップＡ１７）を詳述するためのフローチャート。
【発明を実施するための形態】
【００２７】
（実施形態１）
以下、図１〜図１８を参照して本発明の第１実施形態を説明する。
この実施形態は、通信端末装置として携帯電話機、この携帯電話機を接続する外部装置（通信端末接続装置）として充電台又は充電ケーブルにそれぞれに適用した場合を例示したもので、図１は、携帯電話機が利用可能な通信ネットワークシステムを示したブロック図である。
携帯電話機１は、通話機能、電子メール機能、インターネット接続機能（Ｗｅｂアクセス機能）のほか、デジタルテレビ放送（例えば、ワンセグ地上波デジタルテレビ放送）を受信可能なテレビ放送受信機能と、デジタルラジオ放送（例えば、サンセグ地上波デジタルラジオ放送）を受信可能なラジオ放送受信機能と、受信した放送番組の予約記録を行う予約機能と、記録された番組内容を再生出力する再生機能など、各種の機能を備えている。
【００２８】
携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してメール管理装置３に接続されると、電子メールの送受信が可能となる。また、携帯電話機１は、無線通信網２を介してインターネット４に接続されると、Ｗｅｂサイトをアクセスして閲覧可能な状態となる。また、携帯電話機１は、無線通信網２を介してインターネット４に接続されると、コンテンツ配信装置５から動画、静止画、音楽、ニュース、天気予報などの情報をインターネット４、無線通信網２を介してダウンロード可能な状態となる。また、携帯電話機１は、テレビ局・ラジオ局６から送信アンテナ７を介して発信された地上波デジタル放送を受信可能となっている。なお、地上波デジタル放送を受信する場合に限らず、インターネットラジオのように無線通信網２、インターネット４を介してコンテンツ配信装置５からデジタル放送をダウンロード受信することもできる。
【００２９】
携帯電話機１は、デジタルテレビ放送を受信すると、この受信した放送番組を映像データ、音声データなどに分離して出力したり、受信した放送番組を記録したりし、また、デジタルラジオ放送を受信すると、この放送の番組を音声出力したり、受信した放送の番組を記録したりする。一方、携帯電話機１は、その二次電池（図示省略）への充電時に、外部装置（通信端末接続装置）である充電ケーブル８に直接接続されたり、外部装置（通信端末接続装置）である充電台９を介して充電ケーブル８に接続されたりすると、二次電池（図示省略）への充電が開始されるが、その際、携帯電話機１は、外部装置（充電ケーブル８、充電台９）に接続されたことを検出するようにしている。
【００３０】
充電台９は、充電ケーブル８を介してＡＣ電源（商用電源）に接続されるもので、充電機能及びデータ通信機能を備えたクレードルであり、携帯電話機１が設置（接続）された際に、携帯電話機１側の二次電池（図示省略）に対して充電を行ったり、携帯電話機１との間でデータ通信を行ったりする。ここで、携帯電話機１と充電台９とは、それらの姿勢が連動して変わるような接続構造（電気的に接続されて一体的に連動可能な設置状態）で接続される。
このように携帯電話機１には複数の通信手段として、通話機能、電子メール機能、新着情報受信機能、データ通信機能、放送受信機能などが備えられている。
【００３１】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。記憶部１３には、プログラム記憶部Ｍ１、各種情報一時記憶部Ｍ２、制御条件記憶部Ｍ３、姿勢決定方法記憶部Ｍ４、姿勢情報記憶部Ｍ５、通話履歴記憶部Ｍ６、メール記憶部Ｍ７、予約情報記憶部Ｍ８などが設けられている。
【００３２】
プログラム記憶部Ｍ１は、図１２〜図１８に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、制御条件記憶部Ｍ３、姿勢決定方法記憶部Ｍ４、姿勢情報記憶部Ｍ５、通話履歴記憶部Ｍ６、メール記憶部Ｍ７、予約情報記憶部Ｍ８については後で詳述するものとする。
【００３３】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＴ１から発信出力させる。
【００３４】
テレビ放送・ラジオ放送受信部１６は、テレビ放送受信部とラジオ放送受信部とを有し、それらを個別に起動可能なもので、通信端末装置向けの地上波デジタルテレビ放送、地上波デジタルラジオ放送と共に、電子番組表（ＥＰＧ）などの番組情報も含めて受信可能となっている。このテレビ放送・ラジオ放送受信部１６は、アンテナＡＴ２を介して放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００３５】
表示部１７は、高精細液晶あるいは有機ＥＬなどを使用し、例えば、文字情報、待受画像、テレビ映像などを表示させる。操作部１８は、ダイヤル入力、文字入力、コマンド入力などを入力するもので、中央制御部１１は、この操作部１８からの入力操作信号に応じた処理を実行する。ＲＴＣ（リアルタイムクロックモジュール）１９は、時計部を構成するもので、中央制御部１１は、ＲＴＣ１９から現在日時を取得する。報知部２０は、サウンドスピーカ２０Ａ、ＬＥＤ（発光ダイオード）２０Ｂ、振動モータ２０Ｃを備え、着信時に駆動されて着信報知を行うほか、アラーム報知時などでも駆動される。サウンドスピーカ２０Ａは、音楽コンテンツなどを再生出力したり、テレビ放送やラジオ放送などを再生出力したりする。
【００３６】
ヒンジ可動部２１は、携帯電話機１を構成する２つの筐体１Ａ、１Ｂ（図３参照）を折り畳み可能及び回転可能に連結するヒンジ部１Ｃ（図３参照）に連結されていて、このヒンジ部１Ｃを可動させるための機構部（電動モータ、ギアなど）を有し、中央制御部１１の制御下でヒンジ部１Ｃを回転駆動させることで、２つの筐体１Ａ、１Ｂの開き具合や回転具合を変更して携帯電話機１の姿勢（向き）を直接的に制御するものである。充電台接続部２２は、充電台９の接点と接続されるコネクタ部で、この充電台接続部２２を介して電池部２１の二次電池への充電が行われるが、中央制御部１１は、充電台接続部２２からの信号に基づいて充電台９に設置されているか否かの検出を行う。
【００３７】
充電ケーブル接続部２３は、ＡＣ電源に接続された充電ケーブル８が直接接続されるコネクタ部であり、充電ケーブル接続部２３を介して電池部２１の二次電池への充電が行われるが、中央制御部１１は、充電ケーブル接続部２３から信号に基づいて充電ケーブル８に接続されているか否かの検出を行う。この充電台接続部２２、充電ケーブル接続部２３を介して充電台９又は充電ケーブル８に接続されている状態において、中央制御部１１は、携帯電話機１の通信状況に基づいて携帯電話機１の姿勢を直接的あるいは充電台９を介して間接的に制御したり、どの充電台９に接続されたかに応じて携帯電話機１の姿勢を、充電台９を介して間接的に制御したりする。ここで、通信状況とは、無線通信部１４の通信状況（無線通信の通信状況）、テレビ放送・ラジオ放送受信部１６の通信状況（放送受信の通信状況）であり、電波受信レベル、通信可／不可などを示している。
【００３８】
図３は、携帯電話機１の外観図である。
携帯電話機１は、それを構成する２つの筐体である操作部筐体１Ａと表示部筐体１Ｂとの連結状態に応じてクローズスタイル、オープンスタイル、ビュースタイルなどに変更可能な２軸ヒンジタイプである。このヒンジ部１Ｃには操作部筐体１Ａと表示部筐体１Ｂとを折り畳み開閉するためのヒンジ軸（図示省略）と、このヒンジ軸とほぼ直交して一方の筐体を他方の筐体に対して回動するためのヒンジ軸（図示省略）を有し、これらのヒンジ軸は上述のヒンジ可動部２１に連結されている。
【００３９】
図３（１）は、操作部筐体１Ａと表示部筐体１Ｂとの折り畳みを開いた状態のオープンスタイルを示し、操作部筐体１Ａの内面側には、操作部１８及び通話用マイクＭＣが配置されている。なお、図示省略したが、操作部筐体１Ａの裏面側（操作部１８の反対側）には充電台接続部２２が配置され、操作部筐体１Ａの下端部（ヒンジ部１Ｃの反対側）には充電ケーブル接続部２３が配置されている。表示部筐体１Ｂの内面側には、表示部１７及び通話用スピーカＳＰが配置されている。
【００４０】
図３（２）は、上述したオープンスタイルにおいて表示部筐体１Ｂを上述の回動用ヒンジ軸を中心に１８０度回転させたのち、表示部１７が外側に向くように折り畳んだ状態のビュースタイルを示している。なお、上述したようにヒンジ部１Ｃを回転駆動させることで、表示部筐体１Ｂを回転させてその角度を自動調整させることが可能となる。ここで、操作部筐体１Ａと表示部筐体１Ｂとの開閉角度や操作部筐体１Ａに対する表示部筐体１Ｂの回転角度は、ヒンジ可動部２１の状態によって検出可能であり、中央制御部１１は、ヒンジ可動部２１の状態に基づいて携帯電話機１の姿勢を判別するようにしている。なお、図示省略したが、無線通信部１４用のアンテナＡＴ１とテレビ放送・ラジオ放送受信部１６用のアンテナＡＴ２は、表示部筐体１Ｂの一側部に配置されているが、これら２つのアンテナＡＴ１、ＡＴ１を１つのアンテナによって構成することによって無線通信用と放送受信用に兼用するようにしてもよい。
【００４１】
図４は、充電台９の基本的な構成要素を示したブロック図である。
中央制御部３１は、記憶部３２内の各種のプログラムに応じてこの充電台９の全体動作を制御する中央演算処理装置などを有している。記憶部３２は、図に示す動作手順に応じて本実施形態を実現するためのプログラムが格納されているプログラム記憶部Ｍ１０、充電台９が動作するために必要な各種の情報を一時的に記憶する各種情報一時記憶部Ｍ１１などを有している。中央制御部３１は、携帯電話機接続部３３に携帯電話機１が設置（接続）された際に、充電ケーブル接続部３４が充電ケーブル８を介してＡＣ電源に接続されていることを条件に、携帯電話機接続部３３を介して携帯電話機１への給電を開始するほか、携帯電話機１との間で通信可能な状態となる。
【００４２】
また、中央制御部３１は、携帯電話機１から出力された信号を受信すると、台座可動部３５を駆動する。台座可動部３５は、充電台９を構成する本体９Ａ（図５参照）に対して回転可能・伸縮可能に取り付けられた台座９Ｂ（図５参照）を駆動するもので、この台座９Ｂを伸縮・回転させる機構部（電動モータ、ギアなど）を有し、中央制御部３１の制御下で台座９Ｂを伸縮させたり、回転させたりすることで、充電台９に設置されている携帯電話機１の通信状況（電波受信レベル、通信可／不可など）が良くなるように台座９Ｂの姿勢（高さ、方向など）を変更することで携帯電話機１の姿勢を制御するようにしている。
【００４３】
図５は、充電台９の外観図である。
充電台９を構成する本体９Ａには、台座９Ｂが回転可能・伸縮可能に取り付けられている。すなわち、台座９Ｂは、手動操作によって回転・伸縮が可能なほか、上述の台座可動部３５によっても回転・伸縮が可能に取り付けられており、この台座９Ｂには、充電ケーブル１０を介してＡＣ電源に接続されている。本体９Ａは、携帯電話機１が設置される箱型の収納部９Ｃと、この収納部９Ｃの一側部から起立する板状の起立部９Ｄを有している。この収納部９Ｃは、携帯電話機１をクローズスタイルやビュースタイルで収納（設置）することが可能なもので、ビュースタイルの状態で設置されている場合にユーザは、その画面に画像（静止画、動画、テレビ放送など）を表示させて見ることができる。充電台９の収納部９Ｃに携帯電話機１が設置されている状態においては、携帯電話機１側の充電台接続部２２と充電台９側の携帯電話機接続部３３とが電気的に接続されて充電台９と携帯電話機１とが一体的に連動可能となっている。
【００４４】
図６は、制御条件記憶部Ｍ３を説明するための図である。
制御条件記憶部Ｍ３は、携帯電話機１を充電台９に設置したり、充電ケーブル８に接続したりしている間に通信がありそうな場合（通信の可能性が高い場合）、携帯電話機１の姿勢を変えるための制御条件を記憶するもので、「ＩＤ」、「内容」、「設定フラグ」の各項目を有している。「ＩＤ」は、制御条件を識別する情報であり、「内容」は、制御条件の内容を示している。「設定フラグ」は、複数の制御条件の中から現在有効な制御条件を指定するもので、その値が“１（オン）”の場合には、制御条件が現在有効であることを示し、ユーザ操作によって任意に設定された情報である。なお、図中、太線で囲んだ情報は、ユーザ操作によって任意に設定された情報であることを示している（以下、同様）。
【００４５】
図示の例において「内容」の“毎回”は、充電台９に設置されたり、充電ケーブル８に接続されるたびに携帯電話機１の姿勢を制御することを示し、“指定時間帯”は、充電台９に設置されたり、充電ケーブル８に接続されたりしている状態において、指定時間帯（２３時００分〜０６時００分）になった際に、携帯電話機１の姿勢を制御することを示している。なお、この“指定時間帯”の制御条件（２３時００分〜０６時００分）は、ユーザ操作によって任意に設定された情報である。
【００４６】
また、図示の例において「内容」の“通信履歴・予約情報”は、充電台９に設置されたり、充電ケーブル８に接続されたりしている状態において、通信に関連する履歴情報（通話履歴やメール履歴）及び通信に関連する予約情報（放送の視聴予約、録画予約）が記憶されている場合に、携帯電話機１の姿勢を制御することを示し、この“通信履歴・予約情報”の制御条件には“１０分前後”が設定されている。従って、履歴情報及び予約情報の少なくともいずれか一方が有する時刻情報が現在時刻から所定時間以内の場合に、この所定時間以内を制御タイミングとして決定して姿勢を制御するようにしている。
【００４７】
例えば、通信履歴の場合を例にすると、開始時刻１０分前から終了時刻１０分後に現在時刻を含むような時刻情報を有する通信履歴が記憶されている場合に、携帯電話機１の姿勢を制御するようにしている。この場合、同一日に限らず、別の日であってもよい。また、予約情報の場合には、開始日時１０分前から終了日時に現在日時を含むような日時情報を有する予約情報が記憶されている場合に、携帯電話機１の姿勢を制御することを示している。なお、この“通信履歴・予約情報の制御条件（１０分前後）は、ユーザ操作によって任意に設定された情報である。
【００４８】
図７は、姿勢決定方法記憶部Ｍ４を説明するための図である。
姿勢決定方法記憶部Ｍ４は、携帯電話機１が充電台９に接続されている場合に、携帯電話機１の最良の姿勢を決定する方法を記憶するもので、「ＩＤ」、「内容」、「設定フラグ」の各項目を有している。「ＩＤ」は、姿勢決定方法を識別する情報であり、「内容」は、姿勢決定方法の内容を示している。「設定フラグ」は、複数の姿勢決定方法の中から現在有効な姿勢決定方法を指定するもので、その値が“１”の姿勢決定方法が現在有効であることを示し、ユーザ操作によって任意に設定された情報である。
【００４９】
ここで、「内容」の“通信状況検出”は、複数の姿勢の個々に対応してその通信状況（電波受信レベル、通信可／不可など）を検出し、その中から最良の通信状況となる姿勢に決定する方法を示している。また、「内容」の“充電台ＩＤ”は、携帯電話機１が接続された充電台９毎に予め指定されている姿勢を決定する方法（どの充電台９に接続されたかによって姿勢を決定する方法）を示している。例えば、自宅内に複数の充電台９が置いてある場合に、充電台９毎に通信に適した姿勢を決定する方法を示している。
【００５０】
図８は、姿勢情報記憶部Ｍ５を説明するための図である。
姿勢情報記憶部Ｍ５は、充電台９毎に予め指定された姿勢情報を記憶するもので、「ＩＤ」、「充電台ＩＤ」、「姿勢」の各項目を有している。「ＩＤ」は、姿勢情報を識別する情報であり、「充電台ＩＤ」は、充電台９を識別するための情報（例えば、製造番号など）である。「姿勢」は、台座９Ｂの回転角度、高さなどを示す姿勢情報を示し、この姿勢情報が示す回転角度、高さなどに基づいて姿勢を変更すべきことを充電台９に対して要求すると、つまり、充電台９の姿勢を制御するための制御信号を送信すると、充電台９側では、この要求に応じて台座９Ｂの回転角度、高さなどを調整して要求どおりの姿勢に変更する。
【００５１】
図９は、通話履歴記憶部Ｍ６を説明するための図である。
通話履歴記憶部Ｍ６は、電話着信及び発信に関する履歴情報を記憶するもので、「ＩＤ」、「種別」、「日時」、「相手」、…などの項目を有している。「ＩＤ」は、履歴情報を識別する情報、「種別」は、履歴情報の種別（着信、発信）を示している。「日時」は、通話開始日時及び通話終了日時を示し、「相手」は、相手の名前や電話番号などを示している。なお、発信と着信とを別々の履歴記憶部で記憶するようにしてもよい。また、「日時」は、通話開始日時だけでもよい。
【００５２】
図１０は、メール記憶部Ｍ７を説明するための図である。
メール記憶部Ｍ７は、電子メール（Ｅメール）受信及び送信に関する履歴情報を記憶するもので、「ＩＤ」、「種別」、「日時」、「相手」、「内容」、…などの項目を有している。「ＩＤ」は、履歴情報を識別する情報、「種別」は、履歴情報の種別（着信、発信）を示している。「日時」は、発信日時又は着信日時を示し、「相手」は、相手の名前やメールアドレスなどを示している。「内容」は、メールのヘッダ情報や本文などである。なお、送信と受信とを別々のメール記憶部で記憶するようにしてもよい。
【００５３】
図１１は、予約情報記憶部Ｍ８を説明するための図である。
予約情報記憶部Ｍ８は、視聴や録画の予約情報を記憶するもので、「ＩＤ」、「種別」、「日時」、「番組情報」、「内容」の各項目を有している。「ＩＤ」は、予約情報を識別する情報である。「種別」は、視聴予約か録画予約かの種類を示す情報である。「日時」は、視聴予約、録画予約の開始日時と終了日時を示す情報であり、「番組情報」は、チャンネル／周波数、番組名、出演者名などの情報である。「内容」は、録画予約の実行によって録画された実データを示している。なお、視聴予約が実行されても「内容」にはデータは無く、録画予約であっても、まだ実行されていないときには空の状態となっている。
【００５４】
次に、第１実施形態における携帯電話機１の動作概念を図１２〜図１８に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００５５】
図１２は、携帯電話機１の全体動作の概要を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。その後、操作待ちや着信待ちなどの待ち受け状態となる。ここで、任意の情報を設定する設定操作が行われた場合には（ステップＡ３でＹＥＳ）、その操作に対応する設定処理として、例えば、制御条件記憶部Ｍ３、姿勢決定方法記憶部Ｍ４などに対する設定処理を行ったのち（ステップＡ４）、上述のステップＡ３に戻る。
【００５６】
また、待ち受け状態において中央制御部１１は、充電台接続部２２又は充電ケーブル接続部２３をアクセスすることによって充電台９に設置（接続）されたこと、又は充電ケーブル８に接続されたことを検出すると（ステップＡ４でＹＥＳ）、充電台接続部２２又は充電ケーブル接続部２３を介して電池部２４への充電を開始させたのち（ステップＡ６）、充電台９又は充電ケーブル８に接続されたことを示す接続中フラグ（図示省略）を“１”とする（ステップＡ７）。そして、携帯電話機１の通信状況に基づいて携帯電話機１の姿勢を直接的あるいは充電台９を介して間接的に制御したり、どの充電台９に接続されたかに応じて携帯電話機１の姿勢を、充電台９を介して間接的に制御したりする制御処理に移る（ステップＡ８）。
【００５７】
図１３は、制御処理（図１２のステップＡ８）を詳述するためのフローチャートである。
先ず、中央制御部１１は、携帯電話機１の姿勢を変える（制御する）条件に該当するかに応じて携帯電話機１の姿勢を制御するか否かを判別するための判別処理（後述する）を行う（ステップＢ１）。この結果、“制御する”と判別したときには（ステップＢ２でＹＥＳ）、携帯電話機１の姿勢を制御中であることを示す制御中フラグ（図示省略）が“１”であるかを調べ（ステップＢ２）、この制御フラグが“１”で、姿勢を制御している最中であれば（ステップＢ２でＹＥＳ）、図１２のステップＡ３に戻る。
【００５８】
また、制御フラグが“０（オフ）”で、姿勢を制御していなければ（ステップＢ３でＮＯ）、携帯電話機１が充電台９に設置（接続）されている場合には充電台９の現在の姿勢を検出し、携帯電話機１が充電ケーブル８に接続されている場合には携帯電話機１の現在の姿勢を検出する（ステップＢ４）。この場合、充電台９に対してその姿勢（台座の回転角度、高さなど）を示す姿勢情報の送信を要求したのち、その要求に応じて充電台９から送信された姿勢情報を受信して、この姿勢情報に基づいて充電台９の姿勢を検出する。また、ヒンジ可動部２１の状態から携帯電話機１の姿勢（操作部筐体１Ａと表示部筐体１Ｂとの開閉角度や操作部筐体１Ａに対する表示部筐体１Ｂの回転角度）を検出する。これによって検出した充電台９又は携帯電話機１の現在の姿勢を一時記憶したのち（ステップＢ５）、姿勢を制御するための制御開始処理（後述する）を実行する（ステップＢ６）。そして、制御フラグを“１”としたのち（ステップＢ７）、図１２のステップＡ３に戻る。
【００５９】
また、上述の判別処理を実行した結果、“制御しない”と判別したときには（ステップＢ２でＮＯ）、制御中フラグが“１”であるかを調べ（ステップＢ８）、制御フラグが“０”で、姿勢を制御していなければ（ステップＢ８でＮＯ）、図１２のステップＡ３に戻るが、制御フラグが“１”で、姿勢を制御している最中であれば（ステップＢ８でＹＥＳ）、携帯電話機１の位置を元に戻す制御終了処理（後述する）を実行する（ステップＢ９）。そして、制御フラグを“０”としたのち（ステップＢ１０）、図１２のステップＡ３に戻る。
【００６０】
図１４は、判別処理（図１２のステップＢ１）を詳述するためのフローチャートである。
この判別処理は、上述したように携帯電話機１の姿勢を変える（制御する）条件に該当するか否かに応じて携帯電話機１の姿勢を“制御する”、“制御しない”を判別するための処理である。
先ず、中央制御部１１は、制御条件記憶部Ｍ３を参照し、「設定フラグ」が“１”の制御条件を読み出し（ステップＣ１）、その「内容」は、“毎回”
であるか（ステップＣ２）、“指定時間帯”であるかを調べる（ステップＣ５）。いま、“毎回”であれば（ステップＣ２でＹＥＳ）、無線通信の通信状況を検出することを示す無線通信フラグ（図示省略）及び放送受信の通信状況を検出することを示す放送受信フラグ（図示省略）をそれぞれ“１”としたのち（ステップＣ３）、“制御する”と判別する（ステップＣ４）。
【００６１】
制御条件の「内容」が“指定時間帯”であれば（ステップＣ５でＹＥＳ）、ＲＴＣ１９から現在時刻を取得すると共に、現在時刻は“指定時間帯”に含まれているかを調べる（ステップＣ６）。図６の例では、指定時間帯（２３：００〜０６：００）であるから、現在時刻が“２３：００〜０６：００”以外であれば（ステップＣ６でＮＯ）、“制御しない”と判別するが（ステップＣ７）、この指定時間帯“２３：００〜０６：００”内であれば（ステップＣ６でＹＥＳ）、上述のステップＣ３に移り、無線通信フラグ及び放送受信フラグをそれぞれ“１”としたのち（ステップＣ３）、“制御する”と判別する（ステップＣ４）。
【００６２】
制御条件の「内容」が“指定時間帯”でなければ（ステップＣ５でＮＯ）、“通信履歴・予約情報”であると判断してステップＣ８に移り、先ず、通信履歴である通話履歴又はメール履歴が記憶されているかを調べる。すなわち、図６の例では、“通信履歴・予約情報（１０分前後）”が設定されている場合であるから、ＲＴＣ１９から現在時刻を取得して、通話履歴記憶部Ｍ６、メール記憶部Ｍ７の「日時」を参照し、開始時刻１０分前から終了時刻１０分後に現在時刻を含むような時刻情報を有する通話履歴又はメール履歴が記憶されているか否かの判別を行う。ここで、該当する通話履歴又はメール履歴が記憶されていれば（ステップＣ８でＹＥＳ）、通信（通話又はメール）の可能性が高い時間帯であると判断して、上述の無線通信フラグを“１”とする（ステップＣ９）。
【００６３】
次に、予約情報が記憶されているかを調べる（ステップＣ１０）。すなわち、図６の例では、“通信履歴・予約情報（１０分前後）”が設定されている場合であるから、ＲＴＣ１９から現在時刻を取得して、予約情報記憶部Ｍ８の「日時」を参照し、開始日時１０分前から終了日時に現在日時を含むような日時情報を有する予約情報が記憶されているか否かの判別を行う。ここで、該当する予約情報が記憶されていれば（ステップＣ１０でＹＥＳ）、上述の放送受信フラグを“１”とする（ステップＣ１１）。
【００６４】
そして、無線通信フラグ、放送受信フラグを参照し、無線通信フラグと放送受信フラグの少なくともどちらか一方は“１”であるかを調べる（ステップＣ１２）。いま、無線通信フラグと放送受信フラグの両方が共に“０”であれば（ステップＣ１２でＮＯ）、“制御しない”と判別するが（ステップＣ７）、少なくともどちらか一方が“１”であれば（ステップＣ１２でＹＥＳ）、“制御する”と判別する（ステップＣ１３）。このようにして“制御する”、“制御しない”の判別を行ったのちは、図１４のフローから抜ける。
【００６５】
図１５は、制御開始処理（図１３のステップＢ４）を詳述するためのフローチャートである。この制御開始処理は、上述したように図１３の判別処理で“制御する”と判別され（ステップＢ２でＹＥＳ）、かつ、制御中フラグが“０”の場合に実行される処理である（ステップＢ３でＮＯ）。
先ず、中央制御部１１は、携帯電話機１が充電台９に設置されている場合には（ステップＤ１でＹＥＳ）、姿勢決定方法記憶部Ｍ４を参照して、「設定フラグ」が“１”の姿勢決定方法を読み出し（ステップＤ２）、この姿勢決定方法は“通信状況検出”であるかを調べる（ステップＤ３）。
【００６６】
姿勢決定方法が“通信状況検出”でなければ（ステップＤ３でＮＯ）、“充電台ＩＤ”であると判断してステップＤ４に移り、接続中の充電台９から充電台ＩＤを取得する。そして、この充電台ＩＤに基づいて姿勢情報記憶部Ｍ５を参照して、当該充電台ＩＤに対応付けられている「姿勢情報」を読み出し（ステップＤ５）、この「姿勢情報」に基づいて充電台９の姿勢を変更させる（ステップＤ６）。この場合、携帯電話機１は、「姿勢情報」が示す台座９Ｂの回転角度、高さなどに基づいて姿勢を変更すべきことを充電台９に対して要求すると、充電台９側では、この要求に応じて台座９Ｂの回転角度、高さなどを調整して要求どおりの姿勢に変更する。そして、無線通信フラグ及び放送受信フラグをそれぞれ“０”としたのち（ステップＤ１４）、この図１５のフローから抜ける。
【００６７】
姿勢決定方法が“通信状況検出”であれば（ステップＤ３でＹＥＳ）、充電台９の現在の姿勢を検出する（ステップＤ７）。この場合においても、上述と同様に、充電台９に対してその姿勢（台座の回転角度、高さなど）を示す姿勢情報の送信を要求したのち、その要求に応じて充電台９から送信された姿勢情報を受信して、この姿勢情報に基づいて充電台９の姿勢を検出する。そして、携帯電話機１の通信状況（電波受信レベル、通信可／不可など）として無線通信の通信状況、放送受信の通信状況を検出する（ステップＤ８）。
【００６８】
この場合、通信可／不可の検出で通信可であれば、電波受信レベルを検出するが、その際、無線通信フラグが“１”の場合には、無線通信の通信状況（電波受信レベル）を検出し、放送受信フラグが“１”の場合には、放送受信の通信状況（電波受信レベル）を検出する。なお、無線通信フラグ及び放送受信フラグの両方が共に“１”の場合には、両方の通信状況（電波受信レベル）をそれぞれ検出するようにしてもよいし、そのどちらか一方を検出するようにしてもよく、しかも、そのどちらを優先するかをユーザが予め任意に指定するようにしてもよい。
【００６９】
これによって検出した充電台９の姿勢と携帯電話機１の通信状況とを対応付けて各種情報一時記憶部Ｍ２に一時記憶させたのち（ステップＤ９）、全体的な通信状況の検出を終了したかを調べる（ステップＤ１０）。すなわち、充電台９の姿勢をいろいろ変えて通信状況を全体的に把握したか（例えば、台座９Ｂを３６０度回転させて全体的な通信状況を検出したか）を調べ、その検出を終了していなければ（ステップＤ１０でＮＯ）、充電台９の姿勢を所定量分変更させる（ステップＤ１１）。
【００７０】
この場合、台座９Ｂが３６０度回転するまでその姿勢を所定量分毎に段階的に順次変更させるために、充電台９に対して、所定の姿勢（台座９Ｂの回転角度、高さなど）を指定しながらその姿勢に変更すべきことを要求すると、充電台９側では、その要求に応じてその充電台９の姿勢を変更する。そして、変更後の状態の通信状況を検出したのち（ステップＤ８）、変更後の充電台９の姿勢と共に通信状況を一時記憶する（ステップＤ９）。以下、全体的な通信状況の検出を終了するまで充電台９の姿勢を所定量分変更させながら上述の動作を繰り返す（ステップＤ８〜Ｄ１１）。
【００７１】
これによって全体的な通信状況の検出を終了すると（ステップＤ１０でＹＥＳ）、一時記憶されている各通信状況を比較することによって最良の通信状況を特定すると共に、この最良の通信状況に対応付けられている充電台９の姿勢を判別し（ステップＤ１２）、通信状況が最良となる姿勢となるように充電台９の姿勢を変更させる（ステップＤ１３）。この場合においても、通信状況が最良となる姿勢に変更すべきことを充電台９に対して要求すると、充電台９側では、この要求に応じて台座９Ｂの回転角度、高さなどを調整して要求どおりの姿勢に変更する。そして、無線通信フラグ及び放送受信フラグをそれぞれ“０”としたのち（ステップＤ１４）、この図１５のフローから抜ける。
【００７２】
また、携帯電話機１が充電台９に設置されていない場合には（ステップＤ１でＮＯ）、充電ケーブル８に接続されていると判断してステップＤ１５に移り、上述と同様に、ヒンジ可動部２１の状態から携帯電話機１の姿勢（操作部筐体１Ａと表示部筐体１Ｂとの開閉角度や操作部筐体１Ａに対する表示部筐体１Ｂの回転角度）を検出したのち、携帯電話機１の通信状況（電波受信レベル、通信可／不可など）を検出する（ステップＤ１６）。この場合においても、通信可／不可の検出で通信可であれば、電波受信レベルを検出するが、その際、無線通信フラグが“１”の場合には、無線通信の通信状況を検出し、放送受信フラグが“１”の場合には、放送受信の通信状況を検出する。
【００７３】
これによって検出した携帯電話機１の姿勢と携帯電話機１の通信状況とを対応付けて各種情報一時記憶部Ｍ２に一時記憶させたのち（ステップＤ１７）、全体的な通信状況の検出を終了したかを調べる（ステップＤ１８）。すなわち、携帯電話機１の姿勢をいろいろ変えて通信状況を全体的に把握したかを調べ、その検出を終了していなければ（ステップＤ１８でＮＯ）、ヒンジ可動部２１を駆動させて携帯電話機１の姿勢を所定量分変更する（ステップＤ１９）。以下、全体的な通信状況の検出を終了するまで、携帯電話機１の姿勢を所定量分変更しながら上述の動作を繰り返す（ステップＤ１６〜Ｄ１９）。
【００７４】
全体的な通信状況の検出を終了すると（ステップＤ１８でＹＥＳ）、一時記憶されている各通信状況を比較することによって最良の通信状況を特定すると共に、この最良の通信状況に対応付けられている携帯電話機１の姿勢を判別し（ステップＤ２０）、通信状況が最良となる姿勢となるようにヒンジ可動部２１を駆動させて携帯電話機１の姿勢を変更する（ステップＤ２１）。そして、無線通信フラグ及び放送受信フラグをそれぞれ“０”としたのち（ステップＤ１４）、この図１５のフローから抜ける。
【００７５】
図１６は、制御終了処理（図１３のステップＢ７）を詳述するためのフローチャートである。この制御終了処理は、上述したように図１３の判別処理で“制御しない”と判別され（ステップＢ２でＮＯ）、かつ、制御中フラグが“１”の場合（ステップＢ８でＹＥＳ）に実行される処理である。
先ず、中央制御部１１は、携帯電話機１が充電台９に設置されている場合には（ステップＥ１でＹＥＳ）、上述した図１３（制御処理）のステップＢ５で一時記憶した充電台９の姿勢（変更前の元の姿勢）を読み出し（ステップＥ２）、この姿勢に応じて充電台９を変更前の元の姿勢に変更させる（ステップＥ３）。この場合、携帯電話機１は、元の姿勢が示す台座９Ｂの回転角度、高さなどに基づいて姿勢を変更すべきことを充電台９に対して要求すると、充電台９側では、この要求に応じて台座９Ｂの回転角度、高さなどを調整して要求どおりの姿勢に変更する。
【００７６】
携帯電話機１が充電台９に設置されていない場合には（ステップＥ１でＮＯ）、充電ケーブル８に接続されていると判断してステップＥ４に移り、上述した図１３（制御処理）のステップＢ５で一時記憶した携帯電話機１の姿勢（変更前の元の姿勢）を読み出し（ステップＥ４）、この姿勢に応じてヒンジ可動部２１を駆動させることによって携帯電話機１を変更前の元の姿勢に変更させる（ステップＥ５）。
【００７７】
このように充電台９又は充電ケーブル８への接続検出に応じて（図１２のステップＡ５でＹＥＳ）、上述の制御処理（ステップＡ８）を実行したのちは、ステップＡ３に戻る。ここで、時刻更新（例えば、分を更新する１分間隔）を検出すると（ステップＡ９でＹＥＳ）、この時刻更新のタイミング毎に時刻更新に応じた処理に移る（ステップＡ１０）。この時刻更新に応じた処理は、予約情報の終了時刻・開始時刻を監視しながら視聴予約又は録画予約を実行したり、通信状況が最良となる姿勢に変更するために上述の制御処理を実行したりする処理である。
【００７８】
図１７は、時刻更新に応じた処理（図１２のステップＡ１０）を詳述するためのフローチャートである。この時刻更新に応じた処理では、予約情報の終了時刻が到来したかを判別したり（ステップＦ１）、接続中フラグは“１”であるか否かを判別したり（ステップＦ４）、予約情報の開始時刻が到来したかを判別したりするようにしているが（ステップＦ６）、このような順番で判別する理由は、放送受信を終了させてから上述の制御処理を行って姿勢を元の位置に戻すためと、放送受信を開始させる前に上述の制御処理を行って通信状況が最良となる姿勢に変更するためである。
【００７９】
先ず、中央制御部１１は、ＲＴＣ１９から現在日時を取得すると共に、予約情報記憶部Ｍ８の「日時」を参照し、現在日時が予約の終了日時に一致するか（終了時刻の到来か）を判別し（ステップＦ１）、終了時刻の到来を検出しなければ（ステップＦ１でＮＯ）、充電台９又は充電ケーブル８に接続されたことを示す接続中フラグは“１”であるかを調べる（ステップＦ４）。いま、接続中フラグが“１”であれば（ステップＦ４でＹＥＳ）、上述した制御処理に移り（ステップＦ５）、携帯電話機１の通信状況に基づいて携帯電話機１の姿勢を直接的あるいは充電台９を介して間接的に制御したり、どの充電台９に接続されたかに応じて携帯電話機１の姿勢を、充電台９を介して間接的に制御したりして放送受信の通信状況が最良となる姿勢に変更する。
【００８０】
このように放送受信を開始する前に放送受信の通信状況が最良となる姿勢となるように変更したのち、中央制御部１１は、ＲＴＣ１９から現在日時を取得して予約情報記憶部Ｍ８の「日時」を参照し、現在日時が予約の開始日時に一致するか（開始時刻の到来か）を判別し（ステップＦ６）、開始時刻の到来を検出すると（ステップＦ６でＹＥＳ）、テレビ放送・ラジオ放送受信部１６を駆動させてその予約情報の「番組情報」の放送受信を開始させる（ステップＦ７）。そして、予約情報の「番組情報」がテレビ放送であれば、その映像表示と音声出力を行い、ラジオ放送であれば、その音声出力を行い、更に、予約情報の「種別」が記録（録画）であれば、その番組内容を予約情報記憶部Ｍ８の「内容」に記録する（ステップＦ８）。
【００８１】
そして、図１２のステップＡ３に戻り、以下、時刻更新のタイミング（１分）毎に（ステップＡ９でＹＥＳ）、時刻更新に応じた処理に移り（ステップＡ１０）、図１７の制御処理（ステップＦ５）を繰り返す。ここで、予約の終了日時の到来を検出すると（ステップＦ１でＹＥＳ）、テレビ放送・ラジオ放送受信部１６を停止させて放送受信を終了させると共に（ステップＦ２）、放送出力を終了させるほか、記録（録画）中であれば、その記録動作を終了させる（ステップＦ３）。そして、接続中フラグが“１”であれば（ステップＦ４でＹＥＳ）、上述した制御処理の実行する（ステップＦ５）。
【００８２】
他方、電話着信又はメール着信を検出したときには（図１２のステップＡ１１でＹＥＳ）、今回の電話着信に関する情報を通話履歴記憶部Ｍ６又は今回のメール着信に関する情報をメール記憶部Ｍ７に記憶したのち（ステップＡ１２）、通話処理又はメール表示処理に移る（ステップＡ１３）。また、充電台９又は充電ケーブル８が接続されている状態においてその接続が解除されたこと（外されたこと）を検出すると（ステップＡ１４でＹＥＳ）、充電台接続部２２又は充電ケーブル接続部２３を介して行われている電池部２４への充電を開終了させると共に（ステップＡ１５）、接続中フラグを“０”としたのち（ステップＡ１６）、携帯電話機１の姿勢を元の位置に戻す外れ処理に移る（ステップＡ１７）。
【００８３】
図１８は、充電台９又は充電ケーブル８との接続が解除された際に実行される外れ処理（図１２のステップＡ１７）を詳述するためのフローチャートである。
先ず、中央制御部１１は、充電台９又は充電ケーブル８から外されたこと（接続解除されたこと）を検出した直後である否かに基づいて充電台９に設置されていたか否かを調べる（ステップＧ１）。いま、充電台９に設置されていた場合には（ステップＧ１でＹＥＳ）、そのまま図１２のステップＡ３に戻るが、充電台９に設置されていなかった場合には（ステップＧ１でＮＯ）、充電ケーブル８に接続されていたと判別して、上述した図１３（制御処理）のステップＢ５で一時記憶した携帯電話機１の姿勢を読み出し、この姿勢に応じてヒンジ可動部２１を駆動させることによって携帯電話機１を変更前の元の姿勢に変更させる（ステップＧ３）。
【００８４】
なお、制御フラグ＝０の状態で充電ケーブル８から外されたことを検出した場合には、上述した図１６（制御終了処理）のステップＥ４及びＥ５において携帯電話機１は、既に変更前の元の姿勢に変更されているが、制御フラグ＝１の状態で充電ケーブル８から外されたことを検出した場合には、この充電ケーブル８の接続解除に応じて携帯電話機１は元の姿勢に変更される。
【００８５】
なお、電源オフ操作が行われると（図１２のステップＡ１８でＹＥＳ）、電源オフ処理を実行したのち（ステップＡ１９）、このフローの終了となるが、その他の操作が行われたときには（ステップＡ２０でＹＥＳ）、その操作に応じた処理として、例えば、電話発信処理、メール送信処理などを行ったりする（ステップＡ２１）。その後、上述のステップＡ３に戻る。
【００８６】
以上のように、第１実施形態においては、携帯電話機１が外部装置（充電ケーブル８、充電台９）に接続されている場合に、携帯電話機１の通信状況（無線通信の通信状況、放送受信の通信状況）に基づいて携帯電話機１の姿勢を制御するようにしたので、携帯電話機１の姿勢を適切に制御することができる。
【００８７】
充電台９と携帯電話機１とは、それらの姿勢が連動して変わるような接続構造で接続されており、携帯電話機１の通信状況に基づいて、充電台９の姿勢を制御するための制御信号を充電台９に対して出力することによって携帯電話機１の姿勢を制御するようにしたので、充電台９を介して間接的に携帯電話機１の姿勢を制御することができる。
【００８８】
履歴情報及び予約情報の少なくともいずれか一方が記憶されている場合に、携帯電話機１の通信状況に基づいて姿勢を制御するようにしたので、履歴情報及び予約情報の記憶有無に応じて姿勢を制御することができる。
【００８９】
履歴情報及び予約情報の少なくともいずれか一方が有する時刻情報に基づいて姿勢を制御するタイミングを決定してその制御を行うようにしたので、履歴情報、予約情報の時刻に合わせて姿勢を制御することができ、通信の可能性が高い場合には通信状況が良好になるように姿勢を制御することが可能となる。
【００９０】
履歴情報及び予約情報の少なくともいずれか一方が有する時刻情報が現在時刻から所定時間以内の場合に、姿勢を制御するようにしたので、履歴情報及び予約情報の時刻に近くなったら姿勢を制御することができ、通信の可能性が高い場合には事前に通信状況が良好になるように姿勢を制御することが可能となる。
【００９１】
逆に、履歴情報及び予約情報の少なくともいずれか一方が有する時刻情報が現在時刻から所定時間以内でない場合に、姿勢を制御（抑制）するようにしたので、履歴情報及び予約情報の時刻から時間的に離れていたり、遠ざかったりした場合、つまり、通信が行われる可能性が高くない場合には、姿勢を制御（抑制）することができる。
【００９２】
予め指定した指定時間帯内で姿勢を制御するようにしたので、ユーザの意向を反映させることができ、ユーザが所望するときに姿勢の制御が可能となる。
【００９３】
通信が終了する場合に、元の姿勢になるように姿勢を戻すようにしたので、通信終了後、ユーザ操作で姿勢を元に戻す操作が不要となる。
【００９４】
通信手段としての通話機能、電子メール機能、放送受信機能の利用時に、通信状況が良好になるように姿勢を制御することが可能となる。
【００９５】
携帯電話機１がどの充電台９に接続されたかに応じて姿勢を制御するようにしたので、充電台９に合わせて携帯電話機１の姿勢を適切に制御することができる。例えば、家に置いてある充電台９に携帯電話機１を設置した場合には所定の姿勢（家で通信に適した姿勢）に、仕事場に置いてある充電台９に携帯電話機１を設置した場合には別の姿勢（仕事場で通信に適した姿勢）に制御するようにすることができる。また、同じ家の中に複数の充電台９が置いてあり、それら充電台９毎に通信に適した姿勢が異なるような場合にも、姿勢を適切に制御することができる。
【００９６】
なお、上述した第１実施形態において、図１３の制御処理では、“制御する”と判別され（ステップＢ２でＹＥＳ）、かつ、制御中フラグが“１”であれば（ステップＢ３でＹＥＳ）、何もしないで、図１３のフローから抜けて制御を継続するようにしたが、制御を行うようにしてもよい。その場合の制御は、通常の制御と同じ制御でもよいし、簡易的な制御でもあってもよい。簡易的な制御とは、例えば、台座９Ｂを３６０度回転させてそれぞれの姿勢で通信状況を検出するのではなく、現在の制御されている姿勢に近い姿勢にのみ変更して通信状況を検出し、その中で最良の通信状況となる姿勢に変更（姿勢の微調整）したり、現在の通信状況が悪い場合にのみ制御したりするなど、簡易的な制御を行うことである。
【００９７】
また、図１５の制御開始処理においては、ステップＤ１０では、充電台９の姿勢をいろいろ変えて通信状況を全体的に把握したか（例えば、台座９Ｂを３６０度回転させて全体的な通信状況を検出したか）を調べ、全体的に把握した場合に、その検出を終了するようにしたが、所定のレベルより良い通信状況を検出した際に、その検出を終了するようにしてもよい。また、ステップＤ１５では、ヒンジ可動部２１の状態から携帯電話機１の姿勢（操作部筐体１Ａと表示部筐体１Ｂとの開閉角度や操作部筐体１Ａに対する表示部筐体１Ｂの回転角度）を検出するようにしたが、伸縮可能なアンテナＡＴ１、ＡＴ１の場合には、その伸縮状態を検出するようにしてもよい。
【００９８】
また、上述した第１実施形態においては、ヒンジ可動部２１の状態によって操作部筐体１Ａと表示部筐体１Ｂとの開閉角度や操作部筐体１Ａに対する表示部筐体１Ｂの回転角度を携帯電話機１の姿勢として検出するようにしたが、操作部筐体１Ａと表示部筐体１Ｂとの位置関係（連結状態）に応じて変化するスタイルを携帯電話機１の姿勢として検出するようにしてもよい。また、第１実施形態においては、充電台９の姿勢として、台座９Ｂの回転角度、高さを検出するようにしたが、例えば、重力方向や水平方向に対する傾き、台座９Ｂの仰角、筐体構造に応じた姿勢など、姿勢に関する任意のパラメータを検出するようにしてもよい。
【００９９】
（実施形態２）
以下、本発明の第２実施形態について説明する。
なお、上述した第１実施形態においては、通信端末装置としての携帯電話機１に適用した場合を例示したが、この第２実施形態においては、通信端末装置（携帯電話機）が設置される通信端末接続装置としての充電台９に適用したものである。ここで、両実施形態において基本的あるいは名称的に同一のものは、同一符号を付して示し、その説明を省略すると共に、以下、第２実施形態の特徴部分を中心に説明するものとする。なお、第２実施形態の動作は、基本的に第１実施形態に同様であるので、充電台９の動作を示すフローチャートについては、図示省略するものとする。
【０１００】
この第２実施形態において、通信端末接続装置としての充電台９は、その携帯電話機接続部３３によって携帯電話機１が設置されたことを検出するようにしている。そして、充電台９は、携帯電話機１の通信状況（電波受信レベル、通信可／不可など）として無線通信の通信状況、放送受信の通信状況を検出すべきことを携帯電話機１に対して要求し、この要求に応じて携帯電話機１からその通信状況を受信することによって携帯電話機１の通信状況を検出するようにしている。充電台９の台座可動部３５は、この通信状況に基づいて台座９Ｂを駆動（回転、伸縮）して充電台９の姿勢を制御するようにしている。この場合、充電台９と携帯電話機１とは、それらの姿勢が連動して変わるような接続構造で接続されており、携帯電話機１の通信状況に基づいて充電台９の姿勢を制御することによって充電台９を介して間接的に携帯電話機１の姿勢を制御するようにしている。
【０１０１】
そして、第２実施形態の充電台９には、第１実施形態と同様の制御条件記憶部Ｍ３を有し、ユーザが設定可能な制御条件を記憶するようにしている。携帯電話機１側には、第１実施形態と同様に、通話履歴記憶部Ｍ６、メール記憶部Ｍ７を有している。充電台９は、携帯電話機１が設置されたことを検出すると、接続中フラグを“１”にして、図１３と同様の制御処理を実行する。すなわち、その判別処理によって設定フラグが“１”の制御条件に従って、“制御する”、“制御しない”を判別し、“制御する”と判別した際には、最良の受信状況を得られるように姿勢を制御する。
【０１０２】
充電台９は、時刻更新をすると、図１７と同様の時刻更新に応じた処理を実行し、接続中フラグが“１”であれば、図１３と同様の制御処理を行う。この場合、設定フラグが“１”の制御条件に従って、“制御する”、“制御しない”を判別する。ここで、設定フラグが“１”の制御条件が「指定時間帯」の場合には、現在時刻が「指定時間帯」に含まれていれば、“制御する”と判別する。いま、“制御する”と判別した際には、接続中フラグが“１”であればその制御を継続し、接続中フラグが“０”であれば、最良の受信状況を得られるように姿勢を制御する。また、“制御しない”と判別した場合には、接続中フラグが“１”であれば制御を終了して姿勢を元に戻し、接続中フラグが“０”であれば、非制御を継続する。
【０１０３】
更に、充電台９は、時刻更新をすると、図１７と同様の時刻更新に応じた処理を実行し、予約情報の終了時刻になって、携帯電話機１の放送受信が終了した場合にも、図１３と同様の制御処理を行い、“制御しない”と判別されれば、姿勢を元に戻す。また、充電台９は、携帯電話機１が外れたことを検出すると、その姿勢を元に戻す。この場合、充電台９は携帯電話機１が接続された際に、充電台９の現在の位置を検出して一時記憶しておき、充電台９から携帯電話機１が外されたことを検出した際に、上述の一時記憶の位置情報を読み出して充電台９を元の位置に戻すようにしている。また、設定フラグが“１”の制御条件が「通信履歴・予約情報」の場合、充電台９は、携帯電話機１に対して、制御条件を満たす通信履歴や予約情報があるか否かの結果を送信するように要求を送信し、その要求に応じて携帯電話機１から送信された結果を受信し、その結果に基づいて、制御条件を満たす通信履歴や予約情報があるか否かを判別するようにしている。
【０１０４】
以上のように、この第２実施形態において通信端末接続装置としての充電台９は、携帯電話機１が設置されたことを検出する共に、携帯電話機１の通信状況を検出し、この通信状況に基づいて当該携帯電話機１の姿勢を制御するようにしたので、携帯電話機１に接続された充電台９で携帯電話機１の姿勢を適切に制御することができる。
【０１０５】
また、充電台９と携帯電話機１とは、それらの姿勢が連動して変わるような接続構造で接続されており、携帯電話機１の通信状況に基づいて充電台９を介して間接的に携帯電話機１の姿勢を制御することができる。
【０１０６】
予め指定した指定時間帯内で姿勢を制御するようにしたので、ユーザの意向を反映させることができ、ユーザが所望するときに姿勢の制御が可能となる。
【０１０７】
通信が終了する場合に、元の姿勢になるように姿勢を戻すようにしたので、通信終了後、ユーザ操作で姿勢を元に戻す操作が不要となる。
【０１０８】
なお、上述した各実施形態においては、音声通話機能、電子メール機能、放送受信機能の利用時に、通信状況が良好になるように姿勢を制御するようにしたが、テレビ電話通話、コンテンツ配信装置５から動画、静止画、音楽、ニュース、天気予報などの情報をインターネット４、無線通信網２を介してダウンロード受信する場合にも、その通信状況が良好になるように姿勢を制御するようにしてもよい。その他、他の電子機器との間での近距離通信やネットワークを介して無線ＬＡＮ通信を行う場合に、その通信状況が良好になるように姿勢を制御するようにしてもよい。
【０１０９】
上述した各実施形態においては、無線通信部１４用のアンテナＡＴ１とテレビ放送・ラジオ放送受信部１６用のアンテナＡＴ２を表示部筐体１Ｂの一側部に配置したが、その取り付け位置は任意であると共に、各アンテナＡＴ１、ＡＴ１を個別に伸縮させたり、回転させたりするアンテナ可動部（電動モータ、ギアなど）を設けてもよい。この場合、通信状況が良好となるように携帯電話機１の姿勢を制御しながらアンテナを伸縮させたり、回転させたりしてもよい。また、無線通信用と放送受信用として兼用のアンテナを手動及び自動で伸縮・回転自在な構成としてもよい。この場合、アンテナを伸縮・回転させる機構部（電動モータ、ギアなど）を設ければよい。
【０１１０】
上述した各実施形態においては、姿勢の制御を終了する場合に、携帯電話機１の姿勢や充電台９の姿勢を最初の姿勢に戻すようにしたが、ユーザが手動で姿勢を変更したあとに、姿勢を制御した場合には、ユーザが最後に手動で変更した（姿勢を制御する直前の）姿勢に戻すようにすればよい。
【０１１１】
上述した各実施形態においては、発信と着信の両方の通話履歴やメールに基づいて通信の可能性が高い場合を判別するようにしたが、着信のみであってもよく、また通話履歴のみでもメールのみであってもよい
【０１１２】
上述した各実施形態においては、制御条件を複数記憶し、それらの中からいずれかの制御条件を利用するようにしたが、より簡易に常に１つの制御条件のみを利用するようにしてもよい。また、上述した各実施形態においては、制御処理を時刻更新毎に行うようにしたが、任意の間隔で行うようにしてもよい。
【０１１３】
上述した各実施形態においては、２軸ヒンジタイプの携帯電話機１を例示した場合を示したが、これに限らず、例えば、ストレートタイプ、スライドタイプ、スピントップタイプ、２ウェイオープンタイプなど任意の筐体構造の携帯電話機１であってもよく、また、表示部も携帯電話機１に備えられている表示部１７に限らず、例えば、外部モニタなど、任意の外部表示装置であってもよい。
【０１１４】
上述した各実施形態においては、通信端末装置として携帯電話機１に適用した場合を示したが、例えば、パーソナルコンピュータ、ＰＤＡ、デジタルカメラ、音楽プレイヤー、それらの複合機など、通信機能を備える任意の端末装置であってもよい。
【０１１５】
上述した各実施形態においては、外部装置（通信端末接続装置）として、充電台９、充電ケーブル８に適用した場合を示したが、これに限らず、通信端末装置に接続される任意の外部装置であってもよい。
【符号の説明】
【０１１６】
１  携帯電話機
２  無線通信網
３  メール管理装置
４  インターネット
５  コンテンツ配信装置
８  充電ケーブル
９  充電台
９Ａ  本体
９Ｂ  台座
１１、３１  中央制御部
１３、３２  記憶部
１４  無線通信部
１６  テレビ放送・ラジオ放送受信部
１７  表示部
１８  操作部
１９  ＲＴＣ
２０  報知部
２１  ヒンジ可動部
２２  充電台接続部
２３  充電ケーブル接続部
３５  台座可動部
Ｍ１、Ｍ１０  プログラム記憶部
Ｍ２、Ｍ１１  各種情報一時記憶部
Ｍ３  制御条件記憶部
Ｍ４  姿勢決定方法記憶部
Ｍ５  姿勢情報記憶部
Ｍ６  通話履歴記憶部
Ｍ７  メール記憶部
Ｍ８  予約情報記憶部
【図１】
2010258560.tif 000003
【図２】
2010258560.tif 000004
【図３】
2010258560.tif 000005
【図４】
2010258560.tif 000006
【図５】
2010258560.tif 000007
【図６】
2010258560.tif 000008
【図７】
2010258560.tif 000009
【図８】
2010258560.tif 000010
【図９】
2010258560.tif 000011
【図１０】
2010258560.tif 000012
【図１１】
2010258560.tif 000013
【図１２】
2010258560.tif 000014
【図１３】
2010258560.tif 000015
【図１４】
2010258560.tif 000016
【図１５】
2010258560.tif 000017
【図１６】
2010258560.tif 000018
【図１７】
2010258560.tif 000019
【図１８】
2010258560.tif 000020